(57)【特許請求の範囲】
【請求項１】
地磁気方位センサを内蔵する携帯端末が取り付けられるホルダを有し、該ホルダに取り付けられた前記携帯端末の蓄電池に対し充電可能な携帯端末用充電器において、
前記ホルダを３６０度水平回転可能に支持するターンテーブル機構部を有することを特徴とする携帯端末用充電器。
【請求項２】
前記ホルダを水平回転させる際に互いに相対回転する相対回転部を有し、該相対回転部には、摺動ブラシ電極と該摺動ブラシ電極に常時接触可能な平面電極とが設けられていることを特徴とする請求項１記載の携帯端末用充電器。
【請求項３】
前記ターンテーブル機構部は、手動により前記ホルダを水平回転させるものであることを特徴とする請求項１または２記載の携帯端末用充電器。
【発明の詳細な説明】
【０００１】
【発明の属する技術分野】
本発明は、地磁気方位センサを内蔵する携帯端末の蓄電池に充電を行う携帯端末用充電器に関する。
【０００２】
【従来の技術】
地磁気方位センサを内蔵する携帯端末があるが、このような携帯端末において、従来、地磁気方位センサの方位キャリブレーションを行う場合には、携帯端末を机上や手のひらで水平状態に保ち、その状態で３６０度水平回転させることで、地磁気方位センサの出力と３６０度方位との相関関係のキャリブレーションを行っていた。なお、一般的な地磁気方位センサの方位キャリブレーションの方法には、特開平４−１１０７１７号公報や特開平４−３４６０２０号公報等に開示された方法がある。
【０００３】
【発明が解決しようとする課題】
しかしながら、上記のように携帯端末を手のひらに載せた状態で３６０度水平回転させるキャリブレーションの方法では、地磁気方位センサの正確な方位キャリブレーションを容易に行うことができないという問題があった。例えば、この方法でキャリブレーションを行った場合の地磁気方位センサの出力を図４に示すが、この図からも明らかなように、この方法では出力にブレが生じキャリブレーションを良好に行うことはできない。
【０００４】
また、携帯端末を机の上で３６０度水平回転させるキャリブレーションの方法では、机に金属材料を含んでいる場合にキャリブレーションエラーを生じてしまうという問題があった。
【０００５】
したがって、本発明は、地磁気方位センサの正確な方位キャリブレーションをエラーを生じることなく容易に行うことができる携帯端末用充電器の提供を目的とする。
【０００６】
【課題を解決するための手段】
上記目的を達成するため、本発明の請求項１記載の携帯端末用充電器は、地磁気方位センサを内蔵する携帯端末が取り付けられるホルダを有し、該ホルダに取り付けられた前記携帯端末の蓄電池に対し充電可能なものであって、前記ホルダを３６０度水平回転可能に支持するターンテーブル機構部を有することを特徴としている。
【０００７】
これにより、方位キャリブレーション時に、地磁気方位センサを内蔵する携帯端末をホルダに取り付け、このホルダをターンテーブル機構部で３６０度水平回転させると、携帯端末を容易に３６０度水平回転させることができる。しかも、携帯端末をホルダに取り付けて回転させるため、載置される机に金属材料を含んでいる場合であっても、キャリブレーションエラーを生じてしまうことがない。
【０００８】
本発明の請求項２記載の携帯端末用充電器は、請求項１記載のものに関し、前記ホルダを水平回転させる際に互いに相対回転する相対回転部を有し、該相対回転部には、摺動ブラシ電極と該摺動ブラシ電極に常時接触可能な平面電極とが設けられていることを特徴としている。
【０００９】
このように、ホルダを水平回転させる際に互いに相対回転する相対回転部には、摺動ブラシ電極と該摺動ブラシ電極に常時接触可能な平面電極とを有するため、ターンテーブル機構部に対しホルダがどの回転位置にあっても、ターンテーブル機構部側に接続されたＡＣ／ＤＣ変換アダプタ等からホルダに取り付けられた携帯端末に充電を行うことができる。
【００１０】
本発明の請求項３記載の携帯端末用充電器は、請求項１または２記載のものに関し、前記ターンテーブル機構部は、手動により前記ホルダを水平回転させるものであることを特徴としている。
【００１１】
このように、ターンテーブル機構部は、手動によりホルダを水平回転させるものであるため、コスト増を最小限に抑えることができる。
【００１２】
【発明の実施の形態】
本発明の一実施形態の携帯端末用充電器を図１を参照して以下に説明する。
本実施形態の携帯端末用充電器１１は、図示せぬ地磁気方位センサを内蔵する携帯電話等の携帯端末１２が水平状態で取り付けられるホルダ１３と、机等の水平面に載置されて用いられるとともにホルダ１３を３６０度水平回転可能に支持するターンテーブル機構部１４と、ターンテーブル機構部１４に接続されるＡＣ／ＤＣ変換アダプタ１５とを有している。
【００１３】
ターンテーブル機構部１４は、机等の水平面に載置される台部１７と、上側に突出するようにこの台部１７に固定された支持軸１８とを有しており、この支持軸１８の上部に上記ホルダ１３が水平回転可能に連結されている。ここで、ターンテーブル機構部１４は、ホルダ１３を回転させるための駆動源を一切有しておらず、ホルダ１３を手動によって回転させるものである。
【００１４】
ホルダ１３は、携帯端末１２を着脱可能な図示せぬ案内係合部を上側に有しており、この案内係合部には、携帯端末１２が水平状態にありしかも表示画面および主操作部を上側に向けた所定の姿勢でのみ適正な取り付けが可能であり、それ以外の姿勢では適正な取り付けが不可となっている。なお、この所定の姿勢は、上記に限定されることはなく、少なくとも地磁気方位センサのキャリブレーションに適した姿勢となっていれば良い。
【００１５】
ＡＣ／ＤＣ変換アダプタ１５は、ターンテーブル機構部１４の台部１７に一方で接続されるとともに他方が家庭用電源のコンセントに接続可能となっている。
【００１６】
ホルダ１３を水平回転させる際に互いに相対回転するホルダ１３とターンテーブル機構部１４の支持軸１８との相対回転部１９は、図２に示すように、その支持軸１８側（図２における下側）に、プラス側摺動ブラシ電極２１とマイナス側摺動ブラシ電極２２とが上側に向けて設けられている。また、相対回転部１９のホルダ１３側（図２における上側）には、プラス側平面電極２４とマイナス側平面電極２５とを有するＰＣＢ基板２６がプラス側平面電極２４とマイナス側平面電極２５とを下側に向けて設けられている。
【００１７】
ここで、マイナス側摺動ブラシ電極２２は、ホルダ１３の回転中心近傍に設けられており、プラス側摺動ブラシ電極２１は、ホルダ１３の回転中心に対しマイナス側摺動ブラシ電極２２よりも外側に設けられている。
【００１８】
また、ホルダ１３に固定されたＰＣＢ基板２６のマイナス側平面電極２５は、ホルダ１３の回転位置に拘わらず常にマイナス側摺動ブラシ電極２２を接触させるようにホルダ１３の回転中心近傍に円形状をなして設けられており、同じＰＣＢ基板２６のプラス側平面電極２４は、ホルダ１３の回転位置に拘わらず常にプラス側摺動ブラシ電極２１を接触させるようにマイナス側平面電極２５と同心をなしてその外側に円環状に設けられている。なお、これらプラス側平面電極２４およびマイナス側平面電極２５は、銅箔パターンでＰＣＢ基板２６に形成されている。
【００１９】
そして、プラス側摺動ブラシ電極２１は、ＡＣ／ＤＣ変換アダプタ１５のプラス側に接続するターンテーブル機構部１４内のプラス側内部配線２８に接続されており、マイナス側摺動ブラシ電極２２は、ＡＣ／ＤＣ変換アダプタ１５のマイナス側に接続するターンテーブル機構部１４内のマイナス側内部配線２９に接続されている。
【００２０】
また、プラス側平面電極２４は、ホルダ１３に適正に取り付けられた状態の携帯端末１２のプラス端子に接続するホルダ１３内のプラス側内部配線３１に接続されており、マイナス側平面電極２５は、ホルダ１３に適正に取り付けられた状態の携帯端末１２のマイナス端子に接続するホルダ１３内のマイナス側内部配線３２に接続されている。
【００２１】
以上のような構成の本実施形態の携帯端末用充電器１１においては、ターンテーブル機構部１４において机等の水平面に載置された状態で、ホルダ１３に適正に携帯端末１２が取り付けられると、この携帯端末１２は水平状態となる（すなわち図示せぬ地磁気方位センサのキャリブレーションに適した姿勢となる）。
【００２２】
そして、この状態で、携帯端末１２を操作し、この携帯端末１２に内蔵された地磁気方位センサの方位キャリブレーションモードをセットする。
【００２３】
次に、手動でホルダ１３をターンテーブル機構部１４に対し支持軸１８を中心に３６０度（あるいは３６０度以上）水平回転させると、ホルダ１３と一体に携帯端末１２も水平状態のまま３６０度（あるいは３６０度以上）水平回転する。
【００２４】
この携帯端末１２の水平回転で、携帯端末１２では、その内部の地磁気方位センサの出力と３６０度方位との相関関係のキャリブレーションが行われる。
【００２５】
一方、ホルダ１３が回転方向のいずれの位置にあっても、マイナス側平面電極２５はマイナス側摺動ブラシ電極２２に接触し、プラス側平面電極２４はプラス側摺動ブラシ電極２１に接触しているため、携帯端末１２をホルダ１３に適正に取り付けると、携帯端末１２が、ホルダ１３内のプラス側内部配線３１、マイナス側内部配線３２、プラス側平面電極２４、マイナス側平面電極２５、プラス側摺動ブラシ電極２１、マイナス側摺動ブラシ電極２２、ターンテーブル機構部１４内のプラス側内部配線２８およびマイナス側内部配線２９を介してＡＣ／ＤＣ変換アダプタ１５に接続されて、家庭用電源からの給電を受け、内蔵された蓄電池に充電が行われることになる。
【００２６】
以上に述べた本実施形態の携帯端末用充電器１１によれば、方位キャリブレーション時に、地磁気方位センサを内蔵する携帯端末１２をホルダ１３に取り付け、このホルダ１３をターンテーブル機構部１４で３６０度水平回転させると、携帯端末１２を容易に３６０度水平回転させることができる。しかも、携帯端末１２をホルダ１３に取り付けて回転させるため、載置される机に金属材料を含んでいる場合であっても、キャリブレーションエラーを生じてしまうことがない。
【００２７】
したがって、地磁気方位センサの正確な方位キャリブレーションをエラーを生じることなく容易に行うことができる。例えば、この携帯端末用充電器１１を用いてキャリブレーションを行った場合の地磁気方位センサの出力を図３に示すが、この図からも明らかなように、この携帯端末用充電器１１を用いれば出力のブレが少なくキャリブレーションを良好に行うことができる。
【００２８】
また、ホルダ１３を水平回転させる際に互いに相対回転する相対回転部１９には、摺動ブラシ電極２１，２２と摺動ブラシ電極２１，２２に常時接触可能な平面電極２４，２５とを有するため、ターンテーブル機構部１４に対しホルダ１３がどの回転位置にあっても、ターンテーブル機構部１４側に接続されたＡＣ／ＤＣ変換アダプタ１５からホルダ１３に取り付けられた携帯端末１２に充電を行うことができる。しかも、高価なボールベアリング等で電気接続を行う場合に比べてコストを低減できる。
【００２９】
さらに、ターンテーブル機構部１４は、手動によりホルダ１３を水平回転させるものであるため、コスト増を最小限に抑えることができる。
【００３０】
【発明の効果】
以上詳述したように、本発明の請求項１記載の携帯端末用充電器によれば、方位キャリブレーション時に、地磁気方位センサを内蔵する携帯端末をホルダに取り付け、このホルダをターンテーブル機構部で３６０度水平回転させると、携帯端末を容易に３６０度水平回転させることができる。しかも、携帯端末をホルダに取り付けて回転させるため、載置される机に金属材料を含んでいる場合であっても、キャリブレーションエラーを生じてしまうことがない。
【００３１】
したがって、地磁気方位センサの正確な方位キャリブレーションをエラーを生じることなく容易に行うことができる。
【００３２】
また、本発明の請求項２記載の携帯端末用充電器によれば、ホルダを水平回転させる際に互いに相対回転する相対回転部には、摺動ブラシ電極と該摺動ブラシ電極に常時接触可能な平面電極とを有するため、ターンテーブル機構部に対しホルダがどの回転位置にあっても、ターンテーブル機構部側に接続されたＡＣ／ＤＣ変換アダプタ等からホルダに取り付けられた携帯端末に充電を行うことができる。しかも、高価なボールベアリング等で電気接続を行う場合に比べてコストを低減できる。
【００３３】
本発明の請求項３記載の携帯端末用充電器によれば、ターンテーブル機構部は、手動によりホルダを水平回転させるものであるため、コスト増を最小限に抑えることができる。
【図面の簡単な説明】
【図１】  本発明の一実施形態の携帯端末用充電器の全体構成を示す斜視図である。
【図２】  本発明の一実施形態の携帯端末用充電器の相対回転部を示す斜め下方から見た図である。
【図３】  本発明の一実施形態の携帯端末用充電器を用いてキャリブレーションを行った場合の地磁気方位センサの出力を示す特性線図である。
【図４】  従来の方法でキャリブレーションを行った場合の地磁気方位センサの出力を示す特性線図である。
【符号の説明】
１１  携帯端末用充電器
１２  携帯端末
１３  ホルダ
１４  ターンテーブル機構部
１９  相対回転部
２１，２２  摺動ブラシ電極
２４，２５  平面電極
【図１】
0003726762.tif 000002
【図２】
0003726762.tif 000003
【図３】
0003726762.tif 000004
【図４】
0003726762.tif 000005